(57)【要約】【課題】  保持部による電気部品の保持力を従来よりも向上させることが可能な遊技機の提供を目的とする。【解決手段】  本発明の遊技機によれば、液晶表示ユニット３２を収納ボックス３３に収納した場合に、カバー部材７０に備えた保持強化壁７５が、保持可撓片６７，６７の可動空間６８，６８に配置されることで、保持可撓片６７，６７が保持位置から保持解除位置へ変位することが抑制され、保持可撓片６７，６７による液晶表示ユニット３２の保持が従来よりも解除され難くなる。即ち、保持可撓片６７，６７による液晶表示ユニット３２の保持力を、保持強化壁７５によって向上させることができる。【選択図】  図８
2008200533.tif 000002
【特許請求の範囲】
【請求項１】
電気部品を受容したベース部材と、前記ベース部材における前記電気部品の受容口を塞ぐカバー部材とからなる収納ボックスを備えた遊技機において、
前記ベース部材には、前記電気部品を前記ベース部材に保持する保持位置と、その保持を解除する保持解除位置との間で変位可能な保持部が設けられ、
前記カバー部材には、前記カバー部材と前記ベース部材とを取り付けた状態において、前記保持部が前記保持位置から前記保持解除位置に変位するための可動領域に配置されて、前記保持部が前記保持解除位置に変位することを抑制することで、前記保持部による前記電気部品の保持を強化する保持強化部が形成されたことを特徴とする遊技機。
【請求項２】
前記保持部は、前記電気部品が前記ベース部材に受容される過程でその電気部品に当接して弾性変形して前記保持解除位置に変位し、前記電気部品が前記ベース部材に受容されたところで復元して前記保持位置に戻るように構成されたことを特徴とする請求項１に記載の遊技機。
【請求項３】
前記保持部は、前記電気部品を挟んで複数備えられたことを特徴とする請求項１又は２に記載の遊技機。
【請求項４】
前記電気部品は、前記複数の保持部のみにより前記ベース部材に対して保持されたことを特徴とする請求項３に記載の遊技機。
【請求項５】
前記ベース部材には、前記保持部との間に前記電気部品を挟持すると共に、前記保持部よりも高い剛性を有する挟持相手部が設けられたことを特徴とする請求項１乃至３の何れかに記載の遊技機。
【請求項６】
前記電気部品は、前記保持部及び前記挟持相手部のみにより前記ベース部材に対して保持されたことを特徴とする請求項５に記載の遊技機。
【請求項７】
前記保持部には、前記電気部品に係止する係止部が形成されたことを特徴とする請求項１乃至６の何れかに記載の遊技機。
【請求項８】
前記係止部は、前記電気部品の外縁部に係止したことを特徴とする請求項７に記載の遊技機。
【請求項９】
前記ベース部材には、前記保持部の可動領域を挟んで前記保持部に対向した対向壁部が備えられ、前記保持強化部は前記保持部と前記対向壁部との間に挿入されるように構成されたことを特徴とする請求項１乃至８の何れかに記載の遊技機。
【請求項１０】
前記カバー部材は、前記電気部品の側方を囲む囲壁を備え、前記カバー部材と前記ベース部材とを取り付けた状態において前記ベース部材側に開口を有した箱形形状をなし、前記保持強化部は、前記囲壁から前記カバーの内側に突出したリブであることを特徴とする請求項１乃至９の何れかに記載の遊技機。
【請求項１１】
前記カバー部材は、前記カバー部材と前記ベース部材とを取り付けた状態において前記ベース部材側に開口を有した箱形形状をなし、前記保持強化部は、前記カバー部材の開口縁から前記ベース部材側に突出していることを特徴とする請求項１乃至１０の何れかに記載の遊技機。
【請求項１２】
前記電気部品は、金属製の板金ブラケットに、少なくとも平板状の液晶表示盤と電気基板とを固定してなり、前記板金ブラケットに前記保持部が係止することを特徴とする請求項１乃至１１の何れかに記載の遊技機。
【請求項１３】
前記電気部品は、前記ベース部材への受容方向に前記液晶表示盤と前記板金ブラケットと前記電気基板とを重ねてなり、
前記板金ブラケットには、外縁部の少なくとも一部を屈曲させて先端を前記カバー部材側に向けた起立板金片が形成され、
前記保持部は、前記ベース部材への前記電気部品の受容方向に延びた片持ち梁の先端に前記電子部品に係止する係止部を備えた構造をなし、
前記電気部品を前記ベース部材に受容する過程で、前記係止部が前記板金ブラケットにおける前記起立板金片の基端側の屈曲部に摺接して前記保持部が保持解除位置に変位し、前記電気部品が前記ベース部材に受容されると、前記係止部が前記起立板金片の先端に係止するように構成されたことを特徴とする請求項１２に記載の遊技機。
【請求項１４】
前記起立板金片は、前記電気基板の一部を側方から覆った構造であることを特徴とする請求項１３に記載の遊技機。
【請求項１５】
前記電気部品には、ピン孔が貫通形成され、
前記ベース部材には、前記ピン孔の縁部に突き合わされる受け台座部と、その受け台座部から突出して前記電気部品のピン孔を貫通する位置決めピンとが形成され、
前記カバー部材には、前記ピン孔の縁部に突き合わされる押さえ台座部と、その押さえ台座部の先端面に陥没形成され、前記電気部品を貫通した位置決めピンを受容するピン受容部とが形成されたことを特徴とする請求項１乃至１４に記載の遊技機。
【請求項１６】
前記カバー部材及び前記ベース部材は、共に前記電気部品の側方を囲む囲壁をそれぞれに備えかつ前記囲壁の一端側に開口を有した略箱形形状をなし、
前記ベース部材の囲壁の内面には複数の補強リブが一体形成され、
前記保持部は、前記補強リブ同士の間に配置されたことを特徴とする請求項１乃至１５の何れかに記載の遊技機。
【請求項１７】
前記保持部は、前記収納ボックスの内部に配置されたことを特徴とする請求項１乃至１６の何れかに記載の遊技機。
【請求項１８】
前記保持強化部は、前記保持部のうち可動領域側に当接するように構成したことを特徴とする請求項１乃至１７の何れかに記載の遊技機。
【発明の詳細な説明】
【技術分野】
【０００１】
本発明は、遊技機に関する。
【背景技術】
【０００２】
従来の遊技機として、電気部品を取付部材に保持するための保持部を備えたものがある。この保持部は、電気部品が取付部材に受容される過程で弾性変形し、電気部品が取付部材に受容されると、元の形状に復元して電気部品と係合するものである（例えば、特許文献１を参照）。
【特許文献１】特開２００１−２３２０２２号公報（［００２２］［００２９］、図４）
【発明の開示】
【発明が解決しようとする課題】
【０００３】
ところが、上述した従来の遊技機では、例えば、遊技機の組み立て時に遊技機を構成する他の部品が保持部に接触したり、遊技機外部からの衝撃等により、保持部と電気部品との係合が解除される虞があった。
【０００４】
本発明は、上記事情に鑑みてなされたもので、保持部による電気部品の保持力を従来よりも向上させることが可能な遊技機の提供を目的とする。
【課題を解決するための手段】
【０００５】
上記目的を達成するためになされた請求項１の発明に係る遊技機は、電気部品を受容したベース部材と、ベース部材における電気部品の受容口を塞ぐカバー部材とからなる収納ボックスを備えた遊技機において、ベース部材には、電気部品をベース部材に保持する保持位置と、その保持を解除する保持解除位置との間で変位可能な保持部が設けられ、カバー部材には、カバー部材とベース部材とを取り付けた状態において、保持部が保持位置から保持解除位置に変位するための可動領域に配置されて、保持部が保持解除位置に変位することを抑制することで、保持部による電気部品の保持を強化する保持強化部が形成されたところに特徴を有する。
【０００６】
請求項２の発明は、請求項１に記載の遊技機において、保持部は、電気部品がベース部材に受容される過程でその電気部品に当接して弾性変形して保持解除位置に変位し、電気部品がベース部材に受容されたところで復元して保持位置に戻るように構成されたところに特徴を有する。
【０００７】
請求項３の発明は、請求項１又は２に記載の遊技機において、保持部は、電気部品を挟んで複数備えられたところに特徴を有する。
【０００８】
請求項４の発明は、請求項３に記載の遊技機において、電気部品は、複数の保持部のみによりベース部材に対して保持されたところに特徴を有する。
【０００９】
請求項５の発明は、請求項１乃至３の何れかに記載の遊技機において、ベース部材には、保持部との間に電気部品を挟持すると共に、保持部よりも高い剛性を有する挟持相手部が設けられたところに特徴を有する。
【００１０】
請求項６の発明は、請求項５に記載の遊技機において、電気部品は、保持部及び挟持相手部のみによりベース部材に対して保持されたところに特徴を有する。
【００１１】
請求項７の発明は、請求項１乃至６の何れかに記載の遊技機において、保持部には、電気部品に係止する係止部が形成されたところに特徴を有する。
【００１２】
請求項８の発明は、請求項７に記載の遊技機において、係止部は、電気部品の外縁部に係止したところに特徴を有する。
【００１３】
請求項９の発明は、請求項１乃至８の何れかに記載の遊技機において、ベース部材には、保持部の可動領域を挟んで保持部に対向した対向壁部が備えられ、保持強化部は保持部と対向壁部との間に挿入されるように構成されたところに特徴を有する。
【００１４】
請求項１０の発明は、請求項１乃至９の何れかに記載の遊技機において、カバー部材は、電気部品の側方を囲む囲壁を備え、カバー部材とベース部材とを取り付けた状態においてベース部材側に開口を有した箱形形状をなし、保持強化部は、囲壁からカバーの内側に突出したリブであるところに特徴を有する。
【００１５】
請求項１１の発明は、請求項１乃至１０の何れかに記載の遊技機において、カバー部材は、カバー部材とベース部材とを取り付けた状態においてベース部材側に開口を有した箱形形状をなし、保持強化部は、カバー部材の開口縁からベース部材側に突出しているところに特徴を有する。
【００１６】
請求項１２の発明は、請求項１乃至１１の何れかに記載の遊技機において、電気部品は、金属製の板金ブラケットに、少なくとも平板状の液晶表示盤と電気基板とを固定してなり、板金ブラケットに保持部が係止するところに特徴を有する。
【００１７】
請求項１３の発明は、請求項１２に記載の遊技機において、電気部品は、ベース部材への受容方向に液晶表示盤と板金ブラケットと電気基板とを重ねてなり、板金ブラケットには、外縁部の少なくとも一部を屈曲させて先端をカバー部材側に向けた起立板金片が形成され、保持部は、ベース部材への電気部品の受容方向に延びた片持ち梁の先端に電子部品に係止する係止部を備えた構造をなし、電気部品をベース部材に受容する過程で、係止部が板金ブラケットにおける起立板金片の基端側の屈曲部に摺接して保持部が保持解除位置に変位し、電気部品がベース部材に受容されると、係止部が起立板金片の先端に係止するように構成されたところに特徴を有する。
【００１８】
請求項１４の発明は、請求項１３に記載の遊技機において、起立板金片は、電気基板の一部を側方から覆った構造であるところに特徴を有する。
【００１９】
請求項１５の発明は、請求項１乃至１４に記載の遊技機において、電気部品には、ピン孔が貫通形成され、ベース部材には、ピン孔の縁部に突き合わされる受け台座部と、その受け台座部から突出して電気部品のピン孔を貫通する位置決めピンとが形成され、カバー部材には、ピン孔の縁部に突き合わされる押さえ台座部と、その押さえ台座部の先端面に陥没形成され、電気部品を貫通した位置決めピンを受容するピン受容部とが形成されたところに特徴を有する。
【００２０】
請求項１６の発明は、請求項１乃至１５の何れかに記載の遊技機において、カバー部材及びベース部材は、共に電気部品の側方を囲む囲壁をそれぞれに備えかつ囲壁の一端側に開口を有した略箱形形状をなし、ベース部材の囲壁の内面には複数の補強リブが一体形成され、保持部は、補強リブ同士の間に配置されたところに特徴を有する。
【００２１】
請求項１７の発明は、請求項１乃至１６の何れかに記載の遊技機において、保持部は、収納ボックスの内部に配置されたところに特徴を有する。
【００２２】
請求項１８の発明は、請求項１乃至１７の何れかに記載の遊技機において、保持強化部は、保持部のうち可動領域側に当接するように構成したところに特徴を有する。
【発明の効果】
【００２３】
［請求項１の発明］
請求項１の構成において、電気部品を収納ボックスに収納する場合には、電気部品を保持部によりベース部材に保持させておき、ベース部材の受容口を塞ぐようにカバー部材を組み付ける。このとき、カバー部材に備えた保持強化部が、保持部の可動領域に配置される。すると、保持部が保持位置から保持解除位置へ変位することが抑制され、保持部による電気部品の保持が従来よりも解除され難くなる。即ち、保持部による電気部品の保持力を、カバー部材に備えた保持強化部によって従来よりも向上させることができる。従って、ベース部材とカバー部材とを組み付けて電気部品を収納ボックスに収納したときに、ベース部材に対する電気部品の保持状態を強化することができる。
【００２４】
また、カバー部材をベース部材に取り付ける前の状態では、保持部が保持解除位置に変位可能であり、ベース部材とカバー部材とを組み付けたときに、保持強化部が保持部の可動領域に配置されて、保持部の保持解除位置への変位が抑制される。従って、電気部品をベース部材に保持させる作業を行い易くしつつ、電気部品が収納ボックスに収納されたときには、保持部による電気部品の保持力を強化することができる。
【００２５】
［請求項２の発明］
請求項２の構成によれば、保持部は、電気部品をベース部材に受容させる過程で電気部品と当接することで弾性変形して保持解除位置に変位し、電気部品がベース部材に受容されると自身の弾性力によって保持位置に戻るので、電気部品をベース部材に保持させる作業の手間を軽減し、作業効率を向上することができる。
【００２６】
［請求項３の発明］
請求項３の発明によれば、電気部品を複数の保持部で挟んで保持することができ、ベース部材に対する電気部品の保持状態をより強化することができる。
【００２７】
［請求項４の発明］
請求項４の発明によれば、電気部品は複数の保持部のみによりベース部材に保持されたので、螺子等の他の保持手段を多数併用した場合に比較して、ベース部材に対する電気部品の着脱作業の手間を軽減することができる。
【００２８】
［請求項５の発明］
請求項５の構成によれば、電気部品を挟持相手部と保持部とで挟持することができ、ベース部材に対する電気部品の保持状態をより強化することができる。
【００２９】
［請求項６の発明］
請求項６の発明によれば、電気部品は、保持部及び挟持相手部のみによりベース部材に保持されたので、螺子等の他の保持手段を多数併用した場合に比較して、ベース部材に対する電気部品の着脱作業の手間を軽減することができる。
【００３０】
［請求項７の発明］
請求項７の構成によれば、電気部品がベース部材に受容されると、保持部に形成された係止部が電気部品に係止することで、電気部品がベース部材に保持される。これにより、電気部品を螺子等の他の保持手段によりベース部材に保持させた場合に比較して、ベース部材に電気部品を保持させる作業の手間を軽減することができる。
【００３１】
［請求項８の発明］
請求項８の発明によれば、電気部品の中央部に配設された機器が係止部から負荷を受ける可能性を低くすることができる。また、電気部品の外縁部を、係止部が係止するための被係止部として利用できる。
【００３２】
［請求項９の発明］
請求項９の発明によれば、保持部が対向壁部側に変位すると、保持部と対向壁部との間の可動領域に挿入された保持強化部に当接して、保持解除位置に変位することが抑制される。これにより、保持部による電気部品の保持が従来よりも解除され難くなり、保持部による電気部品の保持力を向上させることができる。
【００３３】
［請求項１０の発明］
請求項１０の発明によれば、保持強化部は、保持部の保持解除位置への変位を抑制すると共に、カバー部材を補強することができる。
【００３４】
［請求項１１の発明］
請求項１１の発明によれば、カバー部材とベース部材とを組み付けると、カバー部材の開口縁から突出した保持強化部が保持部の可動領域に突入し、保持部が保持解除位置に変位することが抑制される。
【００３５】
［請求項１２の発明］
請求項１２の構成によれば、電気部品は、液晶表示盤と電気基板とを板金ブラケットに固定してなり、この板金ブラケットに保持部を係止させたので、液晶表示盤及び電気基板と保持部とを直接係止することなく、これらをベース部材に保持することができる。これにより、液晶表示盤や電気基板が保持部から負荷を受けることが防止される。また、電気部品のうち、保持部と係止する部分、即ち、板金ブラケットを金属製としたことで、電気部品の保持部から負荷を受ける部分に十分な強度を持たせることができる。
【００３６】
［請求項１３の発明］
請求項１３の構成によれば、電気部品をベース部材に受容する過程で、保持部と板金ブラケットとが摺接することで保持解除位置に変位する。また、電気部品がベース部材に受容されると保持部は保持位置に変位して係止部が板金ブラケットの起立板金片に係止する。これにより、電気部品が保持部によりベース部に保持される。このように、電気部品をベース部に受容する過程で、保持部が液晶表示盤や電気基板に接触することがないので、これら液晶表示盤や電気基板が保持部から負荷を受けることを防止できる。また、電気部品をベース部に保持させる際に、保持部を直接手で操作して保持位置と保持解除位置とに変位させる必要がないので、電気部品をベース部材に保持させる作業の手間を軽減することができる。
【００３７】
［請求項１４の発明］
請求項１４の発明によれば、電気基板のうち起立板金片により覆われた部分を保護できる。
【００３８】
［請求項１５の発明］
請求項１５の発明によれば、ベース部材に形成された受け台座部を電気部品のピン孔の縁部に突き合わせ、受け台座部から突出した位置決めピンをピン孔に貫通させることで、ベース部材に対する電気部品の保持位置が位置決めされる。また、カバー部材に形成された押さえ台座部を電気部品のピン孔の縁部に突き合わせ、ピン孔を貫通したベース部材の位置決めピンを、押さえ台座部に陥没形成されたピン受容部に受容させることで、ベース部材に対するカバー部材の取付位置が位置決めされる。さらに、電気部品のピン孔の縁部は、ベース部材の受け台座部とカバー部材の押さえ台座部とで挟まれているので、電気部品をベース部材とカバー部材とで挟持して固定することができる。
【００３９】
［請求項１６の発明］
請求項１６の発明によれば、補強リブによりカバー部材及びベース部材を補強することができる。また、ベース部材の補強リブ同士の間に保持部を配置することで、補強リブ同士の間に形成された空間を有効利用することができる。
【００４０】
［請求項１７の発明］
請求項１７の発明によれば、保持部を収納ボックスにより保護することができる。
【００４１】
［請求項１８の発明］
請求項１８の発明によれば、保持強化部を保持部のうち可動領域側に当接させたことで、保持部が可動領域側へ変位することがより確実に抑制される。これにより、保持部が保持解除位置に変位して、保持部による電気部品の保持が解除されることがより確実に抑制され、保持部による電気部品の保持力を強化して向上させることができる。
【発明を実施するための最良の形態】
【００４２】
以下、本発明を適用したパチンコ遊技機１０に係る一実施形態を、図１〜図１８に基づいて説明する。図１に示すように、本実施形態のパチンコ遊技機１０の遊技盤１１には、ガイドレール１２で囲まれたほぼ円形の遊技領域Ｒ１が形成され、中央部には、表示装置１３が備えられている。遊技領域Ｒ１のうち表示装置１３の下方には、始動入賞口１４、大入賞口１５及び外れ球受け入れ口１６が、上から順に間隔を開けて並べて設けられている。また、遊技領域Ｒ１のうち表示装置１３等を挟んだ左右の両側には、上から順に、ランプ風車１７、始動ゲート１８、風車１９、一般入賞口２０，２１が設けられ、遊技領域Ｒ１全体に亘って、図示しない複数の障害釘が起立している。さらに、ガイドレール１２に沿った両側端部には、サイドランプ２２，２２が設けられている。
【００４３】
図１に示すように、パチンコ遊技機１０のうち、遊技盤１１より上方には、遊技盤１１の前面側に張り出した装飾ランプ９０が設けられている。パチンコ遊技機１０のうち遊技盤１１より下方には、上皿２７Ａ及び下皿２７Ｂが上下２段にして設けられている。上皿２７Ａの両側には、スピーカ５９Ｓが備えられている。また、上皿２７Ａに備えたボタン２９を押せば、上皿２７Ａから下皿２７Ｂに遊技球が移動して収容される。下皿２７Ｂの右端部に設けた操作ノブ２８を操作することで、上皿２７Ａに収容された遊技球が遊技盤１１に向けて弾き出されて遊技が開始される。
【００４４】
次に所要の各部位についてさらに詳説する。
始動ゲート１８は、遊技球が潜って通過可能な門形構造をなし、通過した遊技球は、その始動ゲート１８に内蔵したゲートスイッチによって検出される。そして、その検出信号に基づいて、後述する普通図柄表示領域２４の図柄が変動表示される。
【００４５】
始動入賞口１４は、所謂、ポケット構造をなして上方に向かって開口しており、その開口の両側部には可動翼片１４Ｃ，１４Ｃが備えられている。これら両可動翼片１４Ｃ，１４Ｃは、常には起立状態になっており、両可動翼片１４Ｃ，１４Ｃに挟まれた始動入賞口１４の開口幅は、遊技球が約１つ入る大きさになっている。そして、前記ゲートスイッチへの遊技球の通過を起因に遊技盤１１の裏に設けたソレノイドが駆動されると、可動翼片１４Ｃ，１４Ｃが横に倒され、遊技球が可動翼片１４Ｃに案内されて始動入賞口１４に入り得る状態になる。
【００４６】
始動入賞口１４に遊技球が入賞すると、始動入賞口１４内に設けた始動口センサが遊技球を検出し、その検出信号に基づいて表示装置１３が後述するように図柄を変動表示する。なお、表示装置１３が図柄を変動表示している間に、始動入賞口１４に入賞した入賞球は、４個まで保留記憶される。
【００４７】
大入賞口１５は、横長に形成されて、常には、可動扉１５Ｔにて閉塞されている。そして、後述する所定条件の成立によって、パチンコ遊技機１０が「大当たり状態」になると、遊技盤１１の裏に設けた駆動装置（例えば、ソレノイド）が駆動され、可動扉１５Ｔが所定期間に亘って前側に倒れる。これにより、大入賞口１５が開放され、可動扉１５Ｔを案内にして、大入賞口１５に多くの遊技球が入賞可能になる。ここで、可動扉１５Ｔが、開放してから閉じるまでの間を「ラウンド」と称すると、１つのラウンドは、可動扉１５Ｔの開放時間が２９秒に達したか、又は、大入賞口１５に遊技球が１０個入賞したか、の何れかの条件が先に満たされた場合に終了する。
【００４８】
大入賞口１５の内部には、継続入賞口と計数入賞口とが設けられており、これら継続入賞口及び計数入賞口が開放される。より詳細には、可動扉１５Ｔが開いたときには、継続入賞口は開放しており、継続入賞口に入賞後、ソレノイドが駆動されて、継続入賞口が閉鎖される一方、計数入賞口は開放されたままとなる。そして、継続入賞口内に設けた特定領域センサが遊技球の入賞を検出すると継続権利が発生して、前述した終了条件（可動扉１５Ｔの開放時間が２９秒に達したか、又は、大入賞口１５に遊技球が１０個入賞したか）を満たしてラウンドが終了した後で、連続して次のラウンドが実行される。また、計数入賞口内に設けたカウントセンサが遊技球の入賞を検出すると、前記継続入賞口への入賞球と合わせて、大入賞口１５への入賞球がカウントされ、これらが前記したように計１０個に達したか否かがチェックされる。
【００４９】
表示装置１３は、遊技盤１１に貫通形成された開口部（図示せず）に対し、遊技盤１１の前面側から取り付けた枠形構造の装飾枠２３（図１を参照）と、遊技盤１１の後面側から取り付けた表示装置本体３０（図３及び図４を参照）とで構成されている。そして、遊技者は、遊技盤１１の前面側から、装飾枠２３の表示窓２３Ｗを通して、表示装置本体３０に備えた液晶画面３５Ｇを見ることができる。
【００５０】
液晶画面３５Ｇには、図１に示すように、通常は、３つの左、中、右の特別図柄が、横並びに表示されている。これら各特別図柄は、例えば、「０」〜「１１」の数字を表記した複数種類のもので構成されており、通常は、各特別図柄ごと、所定の種類のものが、液晶表示盤３５に確定表示されている。そして、始動入賞口１４に遊技球が入賞したときに当否判定し、各特別図柄が、上下方向にスクロールして変動表示され、所定時間後に、例えば、左、中、右の順で各特別図柄が停止表示される。このとき、例えば、当否判定の結果が当たりで全ての特別図柄が同じ図柄、即ち、ぞろ目になった場合（例えば、図１の状態）に、遊技が「大当たり状態」になり、可動扉１５Ｔが開かれる。
【００５１】
液晶画面３５Ｇのうち、３つの特別図柄の表示領域の左下隅は、普通図柄表示領域２４となっている。この普通図柄表示領域２４は、始動ゲート１８内に設けたゲートスイッチが遊技球の通過を検出したときに当否判定して、例えば、「０」〜「９」までの数字を所定期間に亘って変動表示した後、所定の数字を確定表示する。そして、確定表示された数字が、例えば、奇数の場合に、始動入賞口１４に設けた可動翼片１４Ｃ，１４Ｃが所定期間（例えば、０．４秒）に亘って横に倒される。なお、普通図柄表示領域２４で表示する図柄は、数字に限るものではなく、アルファベットや記号等でもよい。
【００５２】
図２に示すように、遊技盤１１の後面には、表示装置１３に備えた表示装置本体３０の後側に重なるようにして表示制御装置５１が備えられ、表示制御装置５１の下側には、ランプ制御装置５２と音声制御装置５０とが横並びにして取り付けられている。また、これらランプ制御装置５２、音声制御装置５０及び表示制御装置５１の後側に重なるようにしてメイン制御装置４９が取り付けられている。これら各制御装置４９〜５２は回路基板を主要部として備え、それぞれ透明な樹脂ケースに収容されている。
【００５３】
パチンコ遊技機１０の後面の所定箇所には、上記した各種制御装置４９〜５２の他に電源装置５３、払出制御装置５４、受電装置５５、遊技球を貯留する遊技球タンク５６、遊技球を上皿２７Ａに払い出す払出装置５７、上皿２７Ａに貯留された遊技球を遊技領域Ｒ１に向けて発射するための発射装置５８等が設けられている。
【００５４】
ところで、本実施形態では、表示装置１３に備えた表示装置本体３０のうち、液晶表示ユニット３２（詳細には、ＴＦＴ−ＬＣＤユニット、本発明の「電気部品」に相当する）を収納した収納ボックス３３に本発明が適用されている。
【００５５】
収納ボックス３３は、例えば、透明な樹脂（より詳細には、ＡＢＳ樹脂）で構成され、全体として横長の扁平箱形形状をなす。また、図５及び図６に示すように、収納ボックス３３は、扁平方向の途中部分でベース部材６０とカバー部材７０とに２分割可能となっている。そして、ベース部材６０の内側に液晶表示ユニット３２を受容させて、カバー部材７０をベース部材６０に係着させることで、液晶表示ユニット３２が収納ボックス３３の内部に収納されている。
【００５６】
ここで、収納ボックス３３に収納された液晶表示ユニット３２は、収納ボックス３３の内部に備えた後述する保持可撓片６７によってベース部材６０に保持され、さらに、液晶表示ユニット３２の縁部の一部は、ベース部材６０とカバー部材７０とで挟持されている。これにより、液晶表示ユニット３２は、収納ボックス３３内に固定されている。なお、収納ボックス３３は、液晶表示ユニット３２を保護すると共に保持可撓片６７を保護している。
【００５７】
図３に示すように、収納ボックス３３の前面には、液晶表示ユニット３２に備えた液晶表示盤３５を外部から視認可能とする矩形開口６１Ｗが設けられている。また、図４に示すように、収納ボックス３３の後面には、内部に収容した液晶表示ユニット３２と収納ボックス３３の外部の電気部品（例えば、表示制御装置５１や電源装置５３等）とを配線で接続するための接続用開口部８１が形成されている。さらに、収納ボックス３３の側面には、液晶表示ユニット３２から発する熱を収納ボックス３３の外部に放熱するための放熱用孔８０が貫通形成されている。
【００５８】
以下、表示装置本体３０の各部について詳説するが、説明の便宜上、適宜、収納ボックス３３のベース部材６０側（図５、図６、図８における左側）を前方といい、カバー部材７０側（図５、図６、図８における右側）を後方という。
【００５９】
まず、液晶表示ユニット３２について詳説する。液晶表示ユニット３２は、図５〜図７に示されており、液晶表示盤３５と中継基板３６（本発明の「電気基板」に相当する）とを金属製の板金ブラケット３７によって一体に固定してなる。
【００６０】
液晶表示盤３５は、横長の矩形板状をなし、図５に示すように、前面（ベース部材６０側の面）が画像を表示する液晶画面３５Ｇとなっている。また、図７に示すように、液晶表示盤３５の後面と周縁部は、金属製の保護カバー３５Ｋで覆われている。
【００６１】
中継基板３６は、複数の回路基板３６ａ〜３６ｄから構成され、これら複数の回路基板が互いに電気的に接続されている。詳細には、横長の第１中継基板３６ａの両側に、縦長の第２中継基板３６ｂ及び第３中継基板３６ｃが備えられ、第１中継基板３６ａの後方に重なるようにして、第１中継基板３６ａよりも小さい横長の第４中継基板３６ｄが備えられている。なお、中継基板３６は、例えば、表示制御装置５１及び電源装置５３と液晶表示盤３５との間を電気的に中継している。
【００６２】
図７に示すように、板金ブラケット３７は、横長板状の敷設板３４を主要部として備える。敷設板３４の上縁部３４Ｊと下縁部３４Ｋとには、液晶表示盤３５を固定するための複数の表示盤固定脚部３８と、中継基板３６を固定するための複数の基板固定脚部３９とが備えられている。そして、この敷設板３４の前面に液晶表示盤３５が敷設され、後面に中継基板３６が敷設されている。
【００６３】
表示盤固定脚部３８は、敷設板３４の縁部から張り出した板金片を、敷設板３４の前面側に直角曲げし、その先端部分をさらに直角曲げした略Ｌ字構造をなす。また、表示盤固定脚部３８の先端部分には、螺子貫通孔が形成されている（図７を参照）。そして、表示盤固定脚部３８の先端部分を液晶表示盤３５の後面に突き当て、螺子貫通孔を貫通した螺子を液晶表示盤３５の後面に螺合することで、液晶表示盤３５が板金ブラケット３７に固定されている（図５及び図７を参照）。なお、図８に示すように、液晶表示盤３５は敷設板３４の前面から浮いた状態に固定されている。
【００６４】
基板固定脚部３９は、表示盤固定脚部３８と略同一構造をなしている。即ち、基板固定脚部３９は、敷設板３４の縁部から張り出した板金片を、敷設板３４の後面側に直角曲げし、その先端部分をさらに直角曲げした略Ｌ字構造をなす。また、基板固定脚部３９の先端部分には、螺合孔が貫通形成されている（図７を参照）。そして、基板固定脚部３９の先端部分を中継基板３６の後面に突き当て、中継基板３６を貫通した螺子を前記螺合孔に螺合することで、中継基板３６が板金ブラケット３７に固定されている。なお、図８に示すように、中継基板３６は、液晶表示盤３５と同様に敷設板３４の後面から浮いた状態に固定されている。
【００６５】
ここで、基板固定脚部３９の先端部には、鍔部４１が延設されている。鍔部４１は、中継基板３６の外側に突出し、その突出した部分に円形のピン孔４２が貫通形成されている。なお、本実施形態において鍔部４１は、４つの基板固定脚部３９のうち、板金ブラケット３７を後方から見たときに、板金ブラケット３７の左上隅に位置する基板固定脚部３９と、右下隅に位置する基板固定脚部３９との２つだけに設けられている（図７を参照）。
【００６６】
図７に示すように、板金ブラケット３７のうち、敷設板３４の上縁部３４Ｊの略中央部分と下縁部３４Ｋの略中央部分には、起立板金片４０，４０が形成されている。起立板金片４０，４０は、敷設板３４の側方（図７における上方及び下方）に張り出して先端部を敷設板３４の後面側（カバー部材７０側）に直角に屈曲させた構造をなす。起立板金片４０の屈曲部４０Ｋよりも先端部分は、敷設板３４の短手方向で対向しており、敷設板３４の後面側に敷設された中継基板３６（詳細には、第１の中継基板３６ａ）の上縁部の一部と下縁部の一部とが、この起立板金片４０，４０によって覆われて保護されている（図６及び図８を参照）。
【００６７】
なお、液晶表示盤３５と中継基板３６との間に板金ブラケット３７を介在させたことで、液晶表示盤３５と中継基板３６との一方から他方への電気的なノイズの伝達を防止することができる。
【００６８】
以上が、液晶表示ユニット３２に構成の説明であり、次に収納ボックス３３を構成するベース部材６０及びカバー部材７０について詳説する。
【００６９】
ベース部材６０は、カバー部材７０側に開口を有する横長の扁平箱形形状をなす。即ち、ベース部材６０は、遊技盤１１の後面に突き合わされた前面壁６１と、その前面壁６１の周縁部からカバー部材７０側に起立して液晶表示ユニット３２の側方を囲むベース囲壁６２とを一体形成してなる。
【００７０】
これに対し、カバー部材７０は、ベース部材６０側に開口を有する横長の扁平箱形形状をなす。即ち、カバー部材７０は、収納ボックス３３の扁平方向でベース部材６０の前面壁６１に対向した後面壁７１と、その後面壁７１の周縁部からベース部材６０側に起立して液晶表示ユニット３２を側方から囲むカバー囲壁７２とを一体形成してなる。
【００７１】
ベース部材６０の前面壁６１は、横長の矩形板状をなし、中央部分には横長の矩形開口６１Ｗが貫通形成されている。矩形開口６１Ｗは、表示装置１３に備えた装飾枠２３の表示窓２３Ｗと同一形状をなし、ベース部材６０の前面から嵌め込まれた樹脂製の透明板６３で塞がれている。
【００７２】
透明板６３は矩形開口６１Ｗの形状と略同一の横長矩形状をなし、矩形開口６１Ｗの内側に嵌め込まれて、矩形開口６１Ｗの周縁部から突出した複数の係止爪６１Ｔにより固定されている。
【００７３】
そして、ベース部材６０の矩形開口６１Ｗに、液晶表示ユニット３２に備えた液晶表示盤３５の液晶画面３５Ｇが対面するように配置され、透明板６３を通して液晶画面３５Ｇが視認可能となっている。なお、液晶画面３５Ｇは、透明板６３によって保護されている。
【００７４】
一方、カバー部材７０の後面壁７１は、中継基板３６の形状に対応した凹凸形状をなしている。後面壁７１の下辺中央には、複数の接続用開口部８１が横並びに貫通形成され、この接続用開口部８１から、中継基板３６に実装された図示しないコネクタが収納ボックス３３の外部に突出するように構成されている。
【００７５】
ベース部材６０のベース囲壁６２には、係止可撓片６５が一体形成されている。図６に示すように、係止可撓片６５は、ベース囲壁６２の上壁部６２Ｊと下壁部６２Ｋとにそれぞれ２つずつ設けられている。係止可撓片６５は、全体として帯板状をなし、ベース部材６０の開口端よりも後方に突出している。また、係止可撓片６５の先端部には、ベース部材６０の内側に突出して断面矢尻形状をなした係止突起６５Ｔが形成されている。また、ベース囲壁６２のうち、係止可撓片６５の両側部には、切り込み６２Ｓ，６２Ｓが形成されており、これにより係止可撓片６５が撓み易くなっている。
【００７６】
これに対し、カバー部材７０には、係止可撓片６５と係合するための被係止部７３が形成されている。被係止部７３は、カバー囲壁７２の上壁部７２Ｊと下壁部７２Ｋとにそれぞれ２つずつ陥没形成されている。被係止部７３には、カバー部材７０の扁平方向を向いた段差壁７３Ｄが形成され、この段差壁７３Ｄに係止可撓片６５の係止突起６５Ｔが係止することで、ベース部材６０とカバー部材７０とが一体に固定される。
【００７７】
ベース部材６０の内側には、位置決め突片６４Ｔと位置決め突壁６４Ｈとが突出形成されている。位置決め突片６４Ｔは、前面壁６１の内面から後方に向かって直立している（図６を参照）。また、位置決め突壁６４Ｈは、ベース囲壁６２の上壁部６２Ｊ内面からベース部材６０の内側に張り出している（図８を参照）。これら位置決め突片６４Ｔ及び位置決め突壁６４Ｈは、液晶表示盤３５の側面に当接して、液晶表示盤３５の液晶画面３５Ｇが矩形開口６１Ｗに整合するように位置決めしている。
【００７８】
図６に示すように、ベース囲壁６２の下壁部６２Ｋには、補強リブ６６が一体形成されている。補強リブ６６は、係止可撓片６５，６５で挟まれた部分に、複数設けられている。補強リブ６６は、ベース囲壁６２の内側に突出しかつ前面壁６１からベース部材６０の扁平方向に延びている。この補強リブ６６により下壁部６２Ｋが補強されている。ここで、下壁部６２Ｋに沿って設けられた２つの位置決め突片６４Ｔ，６４Ｔは、補強リブ６６と同様にベース囲壁６２から内側に突出しかつ前面壁６１からベース部材６０の扁平方向に延びているので、これら２つの位置決め突片６４Ｔによっても下壁部６２Ｋを補強することができる。
【００７９】
ベース部材６０には、複数（本実施形態では４つ）の位置決めピン６９Ｐが備えられている。位置決めピン６９Ｐは、ベース部材６０の前面壁６１からカバー部材７０側に起立した受け柱部６９の先端面６９Ｓから突出している。また、図１５に示すように、位置決めピン６９Ｐは先端部分が半球体形状をなしている。
【００８０】
これに対し、カバー部材７０には、前記位置決めピン６９Ｐと凹凸係合する複数（本実施形態では４つ）のピン受容孔７４Ｈが形成されている。ピン受容孔７４Ｈは、カバー部材７０の後面壁７１からベース部材６０側に向かって起立した押さえ柱部７４の中心部に陥没形成されている。これら位置決めピン６９Ｐとピン受容孔７４Ｈとが凹凸係合することで、ベース部材６０に対するカバー部材７０の取付位置を位置決めすることができる。
【００８１】
ここで、ベース部材６０に形成された４つの受け柱部６９は、ベース囲壁６２から離れた位置に設けられてリブ９１によりベース囲壁６２と連結された円柱状の第１受け柱部６９Ａと、ベース囲壁６２の内面を円弧状に膨出してなる第２受け柱部６９Ｂとに区分することができる（図９及び図１１を参照）。また、カバー部材７０に形成された４つの押さえ柱部７４は、カバー囲壁７２から離れた位置に設けられてリブ９２によりカバー囲壁７２と連結された円筒状の第１押さえ柱部７４Ａと、カバー囲壁７２の内面を円弧状に膨出してなる第２押さえ柱部７４Ｂとに区分することができる（図１２及び図１４を参照）。そして、本実施形態では、第１受け柱部６９Ａから突出した位置決めピン６９Ｐが、第１押さえ柱部７４Ａに陥没形成されたピン受容孔７４Ｈに受容され、第２受け柱部６９Ｂから突出した位置決めピン６９Ｐが、第２押さえ柱部７４Ｂに陥没形成されたピン受容孔７４Ｈに受容されるようになっている。
【００８２】
また、本実施形態では、第１受け柱部６９Ａと第１押さえ柱部７４Ａとの間に、液晶表示ユニット３２の縁部の一部、詳細には、板金ブラケット３７の基板固定脚部３９に延設された鍔部４１が挟持されている。即ち、図１５及び図１６に示すように、第１受け柱部６９Ａから突出した位置決めピン６９Ｐが、鍔部４１に形成されたピン孔４２を貫通した状態で、第１押さえ柱部７４Ａに陥没形成されたピン受容孔７４Ｈに突入している。そして、鍔部４１のうち、ピン孔４２の周縁部が第１受け柱部６９Ａの先端面６９Ｓと第１押さえ柱部７４Ａの先端面７４Ｓとで挟持されている。なお、第１受け柱部６９Ａの先端面６９Ｓは本発明の「受け台座部」に相当し、第１押さえ柱部７４Ａの先端面７４Ｓは本発明の「押さえ台座部」に相当する。また、位置決めピン６９Ｐの先端部を半球体形状とすることで、位置決めピン６９Ｐをピン受容孔７４Ｈに挿入し易くなっている。
【００８３】
さて、ベース部材６０には、液晶表示ユニット３２をベース部材６０に保持するための複数（本実施形態では２つ）の保持可撓片６７（本発明の「保持部」に相当する）が一体形成されている。図９に示すように、保持可撓片６７はベース囲壁６２の内側位置に矩形開口６１Ｗを挟んで設けられ、ベース部材６０の短手方向（図９における上下方向）で対向配置されている。
【００８４】
詳細には、図１０に示すように、保持可撓片６７，６７は、前面壁６１からカバー部材７０側に直立した片持ち梁構造をなし、ベース部材６０の開口端よりもカバー部材７０側に突出している。保持可撓片６７は全体として長板形状をなし（図６を参照）、先端部分にはベース部材６０の内側に向かって段付き状に突出した係止突部６７Ｔ（本発明の「係止部」に相当する）が形成されている。
【００８５】
そして、図８に示すように、これら保持可撓片６７，６７の係止突部６７Ｔが、液晶表示ユニット３２の外縁部、より詳細には、板金ブラケット３７の起立板金片４０，４０の先端部に係止することで、液晶表示ユニット３２がベース部材６０から離脱困難に保持されている。ここで、図８及び図１０に示すように、ベース部材６０の前面壁６１に対して直立した状態における保持可撓片６７，６７の位置が、本発明の「保持位置」に相当する。
【００８６】
図１０に示すように、保持可撓片６７，６７は、上壁部６２Ｊ及び下壁部６２Ｋに対して、可動空間６８，６８（本発明の「可動領域」に相当する）を挟んで対向配置されている。そして、液晶表示ユニット３２がベース部材６０に受容される過程で、液晶表示ユニット３２と当接することで、保持可撓片６７は、可動空間６８内をベース囲壁６２（詳細には、上壁部６２Ｊ及び下壁部６２Ｋ）側に倒され、保持解除位置に変位される（図１７の状態）。ここで、可動空間６８，６８を挟んで保持可撓片６７，６７と対向した上壁部６２Ｊ及び下壁部６２Ｋは、本発明の「対向壁部」に相当する。
【００８７】
ここで、下壁部６２Ｋ側に配置された保持可撓片６７は、補強リブ６６，６６同士の間に配置されている。これにより、補強リブ６６，６６によってベース部材６０の内側に形成されたデッドスペースを有効利用することができる。
【００８８】
なお、保持可撓片６７の基端部には、保持可撓片６７とベース囲壁６２とを繋いで保持可撓片６７の基端部を補強したリブ６７Ｒが形成されている。また、保持可撓片６７のうち、係止突部６７Ｔよりも先端側には解除操作片６７Ｓが延設されており、この解除操作片６７Ｓを、例えば、手でベース囲壁６２側に倒すことで、保持可撓片６７を任意に保持解除位置に変位させることが可能となっている。これにより、液晶表示ユニット３２をベース部材６０から取り外す作業が行い易くなっている。
【００８９】
さて、カバー部材７０には、保持可撓片６７，６７による液晶表示ユニット３２の保持力を強化させるための保持強化壁７５（本発明の「保持強化部」に相当する）が備えられている。保持強化壁７５は、カバー囲壁７２の上壁部７２Ｊの中央と、下壁部７２Ｋの中央とにそれぞれ一体形成されている。保持強化壁７５は、全体として細長板形状をなし、カバー囲壁７２の内面から内側に向かって突出しかつ後面壁７１からベース部材６０側に向かって起立している。図１３に示すように、保持強化壁７５の先端部分は、カバー部材７０の開口端よりもベース部材６０側に突出しかつ、先細りとなっている。そして、保持強化壁７５のうちカバー部材７０の開口端から突出した部分がベース部材６０の保持可撓片６７とベース囲壁６２との間に形成された可動空間６８に配置されている（図８を参照）。ここで、可動空間６８に突入した保持強化壁７５は、保持可撓片６７とベース囲壁６２の両方に接触している。これにより、保持可撓片６７が、可動空間６８においてベース囲壁６２側へ変位することが抑制されて、保持可撓片６７による液晶表示ユニット３２の保持が解除されないようになっている。なお、保持強化壁７５は、カバー部材７０の上壁部７２Ｊ及び下壁部７２Ｋを補強するリブを兼用している。本実施形態のパチンコ遊技機１０の構造に関する説明は以上である。
【００９０】
ところで、表示装置本体３０は以下の手順で組み立てられる。まず、ベース部材６０の後方から液晶表示ユニット３２の液晶表示盤３５側を近づけ、ベース囲壁６２の内側に挿入する。このとき、保持可撓片６７，６７は保持位置となっているので、これら保持可撓片６７，６７の先端部と、液晶表示ユニット３２に備えた板金ブラケット３７の縁部（詳細には、起立板金片４０の屈曲部４０Ｋ）とが接触する。液晶表示ユニット３２をさらに挿入していくと、起立板金片４０の屈曲部４０Ｋが保持可撓片６７，６７の係止突部６７Ｔに摺接し、保持可撓片６７が起立板金片４０に押されて、保持位置からベース囲壁６２側に倒れた保持解除位置に変位する（図１７の状態）。起立板金片４０の屈曲部４０Ｋが、保持解除位置に変位した保持可撓片６７の係止突部６７Ｔを通過すると、起立板金片４０の屈曲部４０Ｋよりも先端部分が係止突部６７Ｔに摺接する。そして、起立板金片４０の先端部が保持可撓片６７の係止突部６７Ｔを通過すると、保持可撓片６７が自身の弾性力によって保持位置に復元する。すると、保持可撓片６７の係止突部６７Ｔと起立板金片４０の先端部とが係止して、保持可撓片６７，６７により液晶表示ユニット３２が上下から挟まれ、ベース部材６０に保持される（図１８の状態）。
【００９１】
ここで、液晶表示ユニット３２がベース部材６０に保持されると、板金ブラケット３７の鍔部４１に形成されたピン孔４２を、ベース部材６０の第１受け柱部６９Ａから突出した位置決めピン６９Ｐが貫通する。これにより、液晶表示ユニット３２のベース部材６０に対する取付位置が位置決めされる。また、液晶表示ユニット３２の液晶表示盤３５は、ベース部材６０に形成された位置決め突片６４Ｔと位置決め突壁６４Ｈとによって、ベース部材６０の前面壁６１に形成された矩形開口６１Ｗに整合するように位置決めされる。
【００９２】
このように、液晶表示ユニット３２がベース部材６０に受容される過程で、保持可撓片６７，６７が、液晶表示ユニット３２と接触することで保持解除位置に変位し、ベース部材６０に受容されると、自身の弾性力によって保持位置に戻るので、例えば、保持可撓片６７，６７を手で操作して保持位置と保持解除位置とに変位させる必要がなく、液晶表示ユニット３２をベース部材６０に保持させる作業を効率よく行うことができる。また、保持可撓片６７，６７は、液晶表示ユニット３２の外縁部、より詳細には、板金ブラケット３７の起立板金片４０に摺接しかつ係止する。換言すれば、液晶表示盤３５や中継基板３６と保持可撓片６７，６７とが、直接、接触することがないので、液晶表示盤３５や中継基板３６に保持可撓片６７，６７との接触による負荷がかかることがない。また、保持可撓片６７，６７と係止する起立板金片４０は金属製なので、保持可撓片６７，６７から負荷を受ける部分に十分な強度を持たせることができる。
【００９３】
液晶表示ユニット３２をベース部材６０に保持させたら、次に、ベース部材６０とカバー部材７０とを取り付ける。具体的には、カバー部材７０をベース部材６０の後方、即ち、液晶表示ユニット３２の中継基板３６側から近づける。すると、カバー部材７０の上壁部７２Ｊ及び下壁部７２Ｋの外面にベース部材６０の係止可撓片６５が摺接し、カバー部材７０の開口縁が、ベース部材６０の開口縁に突き当たると、係止可撓片６５がカバー囲壁７２に形成された被係止部７３に係止して、ベース部材６０とカバー部材７０とが係着される。ここで、カバー部材７０に備えた４つのピン受容孔７４Ｈと、ベース部材６０に形成された４つの位置決めピン６９Ｐとがそれぞれ凹凸係合することで、カバー部材７０の開口縁とベース部材６０の開口縁とが整合するように位置決めされる。
【００９４】
また、ベース部材６０とカバー部材７０が係着されると、板金ブラケット３７の鍔部４１に形成されたピン孔４２の周縁部が、ベース部材６０の第１受け柱部６９Ａの端面６９Ｓ及びカバー部材７０の第１押さえ柱部７４Ａに端面７４Ｓとで挟持される。
【００９５】
さて、ベース部材６０とカバー部材７０とが一体に固定されると、カバー部材７０の開口端から突出した保持強化壁７５が、保持可撓片６７，６７とベース囲壁６２との間に形成された可動空間６８，６８内に配置される。そして、保持強化壁７５，７５が保持可撓片６７，６７とベース囲壁６２との両方に接触することにより、保持可撓片６７，６７がベース囲壁６２側に倒されることが抑制される。即ち、保持可撓片６７，６７が、液晶表示ユニット３２を保持した保持位置から保持解除位置に変位することが抑制される。これにより、保持可撓片６７，６７による液晶表示ユニット３２の保持が解除不可能となる。
【００９６】
このように、本実施形態によれば、液晶表示ユニット３２を収納ボックス３３に収納した場合に、カバー部材７０に備えた保持強化壁７５が、保持可撓片６７，６７の可動空間６８，６８に配置されることで、保持可撓片６７，６７が保持位置から保持解除位置へ変位することが抑制され、保持可撓片６７，６７による液晶表示ユニット３２の保持が従来よりも解除され難くなる。即ち、保持可撓片６７，６７による液晶表示ユニット３２の保持力を、保持強化壁７５によって向上させることができる。従って、ベース部材６０とカバー部材７０とを組み付けて液晶表示ユニット３２を収納ボックス３３に収納したときに、液晶表示ユニット３２をベース部材６０に確実に保持することができる。
【００９７】
また、本実施形態では、液晶表示ユニット３２を１対の保持可撓片６７，６７のみを用いて保持しているので、螺子等の他の保持部材を併用した場合に比較して、液晶表示ユニット３２のベース部材６０への着脱を容易に行うことが可能となる。例えば、螺子を使用した場合には、螺子を螺合操作するためにドライバ等の工具が必要となるが、本実施形態によれば、このような工具を用いなくとも液晶表示ユニット３２をベース部材６０に保持させることができる。しかも、保持可撓片６７，６７が、収納ボックス３３の内側に収容されるので、保持可撓片６７，６７に他の部品が接触して保持解除位置に変位されることを防止できる。
【００９８】
ここで、例えば、保持可撓片６７，６７自体の剛性を高めることで、保持可撓片６７，６７による液晶表示ユニット３２の保持力を強化した構成では、液晶表示ユニット３２をベース部材６０に受容させる過程で保持可撓片６７，６７が弾性変形し難くなり、液晶表示ユニット３２をベース部材６０に保持させる作業が困難となるという問題が生じ得る。これに対し、本実施形態によれば、保持可撓片６７，６７とは別体の保持強化壁７５，７５によって保持可撓片６７，６７の保持解除位置への変位を抑制して、液晶表示ユニット３２の保持力を強化する構成であり、ベース部材６０とカバー部材７０とを組み付けたときに、初めて、保持力が強化されるので、液晶表示ユニット３２をベース部材６０に保持させるときには保持可撓片６７，６７を弾性変形し易くし、液晶表示ユニット３２を収納ボックス３３に収納したときには、保持可撓片６７，６７による液晶表示ユニット３２の保持力を強化して液晶表示ユニット３２を確実に保持することができる。
【００９９】
なお、上述した本実施形態のパチンコ遊技機には、「保持強化部は、保持部と対向壁部とにそれぞれ当接する構成」が含まれている。この構成によれば、保持強化部を保持部と対向壁部とにそれぞれ当接させたことで、保持部が対向壁部側へ変位することがより確実に抑制される。これにより、保持部が保持解除位置に変位して、保持部による電気部品の保持が解除されることがより確実に抑制され、保持部による電気部品の保持力を強化して向上させることができる。
【０１００】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）上記実施形態では、パチンコ遊技機１０に本発明を適用していたが、遊技機であれば、コイン遊技機やスロットマシン等に適用してもよい。
【０１０１】
（２）上記実施形態では、保持可撓片６７，６７をベース部材６０の上壁部６２Ｊ側と下壁部６２Ｋ側とに設けていたが、例えば、図１９に示すように、下壁部６２Ｋ側だけに設けてもよい。即ち、液晶表示ユニット３２に備えた一方の起立板金片４０を上壁部２６２Ｊの内面に突き当てて、他方の起立板金片４０を保持可撓片６７に係止させることで保持させてもよい。ここで、上壁部２６２Ｊを例えば厚肉構造として、保持可撓片６７よりも高い剛性を備えた構造とすることが好ましい。また、上壁部２６２Ｊには、起立板金片４０と係止するストッパを設けることが好ましい。なお、保持可撓片６７との間で液晶表示ユニット３２を保持した上壁部２６２Ｊは、本発明の「挟持相手部」に相当する。
【０１０２】
（３）上記実施形態では、保持強化壁７５が保持可撓片６７の可動空間６８に配置されたときに、ベース囲壁６２と保持可撓片６７とに接触するように構成されていたが、保持可撓片６７を保持解除位置に変位することを抑制する構成であれば、必ずしも可動空間６８においてベース囲壁６２や保持可撓片６７に接触している必要はない。
【０１０３】
（４）上記実施形態では、液晶表示ユニット３２を収納した収納ボックス３３に本発明が適用されていたが、他の電気部品、例えば、制御装置４９〜５２を収納した樹脂ケースに本発明を適用してもよい。
【０１０４】
（５）上記実施形態では、保持可撓片６７，６７は、液晶表示ユニット３２を上下から挟むように２つ備えられていたが、保持可撓片６７の数及び配置は、これに限るものではない。例えば、液晶表示ユニット３２を上下方向と左右方向とから挟むように４つ設けてもよい。
【０１０５】
（６）上記実施形態では、弾性変形する保持可撓片６７により液晶表示ユニット３２を保持していたが、例えば、ヒンジにより回動して保持解除位置と保持位置とに変位する保持回動片により保持する構成としてもよい。
【図面の簡単な説明】
【０１０６】
【図１】本発明の一実施形態に係るパチンコ遊技機の正面図
【図２】パチンコ遊技機の背面図
【図３】表示装置本体の斜視図
【図４】表示装置本体の斜視図
【図５】表示装置本体の分解斜視図
【図６】表示装置本体の分解斜視図
【図７】液晶表示ユニットの分解斜視図
【図８】表示装置本体の側断面図
【図９】ベース部材の平面図
【図１０】図９におけるＣ−Ｃ断面図
【図１１】（Ａ）図９におけるＡ−Ａ断面図（Ｂ）図９におけるＢ−Ｂ断面図
【図１２】カバー部材の平面図
【図１３】図１２におけるＣ−Ｃ断面図
【図１４】（Ａ）図１２におけるＡ−Ａ断面図（Ｂ）図１２におけるＢ−Ｂ断面図
【図１５】位置決めピンとピン受容孔との凹凸係合部分を示す斜視図
【図１６】鍔部を挟んで凹凸係合した位置決めピンとピン受容孔とを示す側断面図
【図１７】液晶表示ユニットにより保持可撓片が保持解除位置に変位したときのベース部材の側断面図
【図１８】液晶表示ユニットを保持したベース部材及びカバー部材の側断面図
【図１９】他の実施形態（２）に係る表示装置本体の側断面図
【符号の説明】
【０１０７】
１０    パチンコ遊技機
３０    表示装置本体
３２    液晶表示ユニット（電気部品）
３３    収納ボックス
３５    液晶表示盤
３６    中継基板（電気基板）
３７    板金ブラケット
４０    起立板金片
４０Ｋ    屈曲部
４２    ピン孔
６０    ベース部材
６２    ベース囲壁
６６    補強リブ
６７    保持可撓片（保持部）
６７Ｔ    係止突部（係止部）
６８    可動空間（可動領域）
６９Ｐ    位置決めピン
７０    カバー部材
７２    カバー囲壁
７４Ｈ    ピン受容孔（ピン受容部）
７５    保持強化壁（保持強化部）
【図１】
2008200533.tif 000003
【図２】
2008200533.tif 000004
【図３】
2008200533.tif 000005
【図４】
2008200533.tif 000006
【図５】
2008200533.tif 000007
【図６】
2008200533.tif 000008
【図７】
2008200533.tif 000009
【図８】
2008200533.tif 000010
【図９】
2008200533.tif 000011
【図１０】
2008200533.tif 000012
【図１１】
2008200533.tif 000013
【図１２】
2008200533.tif 000014
【図１３】
2008200533.tif 000015
【図１４】
2008200533.tif 000016
【図１５】
2008200533.tif 000017
【図１６】
2008200533.tif 000018
【図１７】
2008200533.tif 000019
【図１８】
2008200533.tif 000020
【図１９】
2008200533.tif 000021